(57)【特許請求の範囲】
【請求項１】
ワークスペースを区画形成するデスク用パネルにおいて、デスク用パネルは、デスク天板の高さを基準にして、デスク天板より上方の空間を左右方向に仕切る上部パネルと、該上部パネル下面に連結されデスク天板より下方の空間を左右方向に仕切る下部パネルを備え、下部パネル前端を、上部パネル前端より後方に退避させることにより、上部パネルの前端が前方に突出する突出部を形成し、該突出部下方部にハンガーフックを設け、ハンガーフックは、上部パネルの突出部下面と連結される上部パネル連結部と、該突出部下面に近接する下部パネルの前端部と連結される下部パネル連結部とを備え、上部パネルと下部パネルの連結機能を兼ね備えたことを特徴とするデスク用パネル。
【発明の詳細な説明】
【技術分野】
【０００１】
本発明は、デスク用パネルに係わり、デスクの側方に立設、あるいはデスクの天板上の空間を左右方向に仕切りワークスペースを区画形成するデスク用パネルに関するものである。
【背景技術】
【０００２】
従来から、特許文献１のようにデスクサイドにデスク用パネルを天板より上部に突出するように立設するとともに、デスク天板上の空間をデスク用パネルで左右方向に仕切りことによって、ワークスペースを区画形成するものや、個別カウンターコーナーを形成するものがある。
【０００３】
また、ワークスペースを区画形成するデスク用パネルの表面に形成される掛溝に、ブラケットを掛止させハンガーフックとして使用するものがある。（例えば特許文献２）
【０００４】
しかしながら、このようなハンガーフックは、デスク用パネルの表面側に取り付けられることになるため、ハンガーフックに掛けられた物品が執務者の視界に常に入ることになり仕事の集中力を妨げる原因になることや、パネル表面からハンガーフック全体が突出することになるので、ハンガーフックに執務者の手や服などが引っかかる危険性があった。
【先行技術文献】
【特許文献】
【０００５】
【特許文献１】特開２０１０−０３５５６６公報
【特許文献２】実開平３−５４５０８公報
【発明の概要】
【発明が解決しようとする課題】
【０００６】
本発明は、従来の問題点に鑑みて、簡単な構造で、使い勝手の良い場所にハンガーフックを備えたデスク用パネルを提供することを課題とする。
【課題を解決するための手段】
【０００７】
上記課題を解決する為、本発明が第１の手段として構成したところは、ワークスペースを区画形成するデスク用パネルにおいて、デスク用パネルは、デスク天板の高さを基準にして、デスク天板より上方の空間を左右方向に仕切る上部パネルと、該上部パネル下面に連結されデスク天板より下方の空間を左右方向に仕切る下部パネルを備え、下部パネル前端を、上部パネル前端より後方に退避させることにより、上部パネルの前端が前方に突出する突出部を形成し、該突出部下方部にハンガーフックを設け、ハンガーフックは、上部パネルの突出部下面と連結される上部パネル連結部と、該突出部下面に近接する下部パネルの前端部と連結される下部パネル連結部とを備え、上部パネルと下部パネルの連結機能を兼ね備えたものである。
【００１０】
次に、上記課題を解決する為、本発明が第４の手段として構成したところは、上記第１の手段、あるいは上記第２の手段、あるいは上記第３の手段に加え、
ハンガーフックは、デスク用パネルの最前端部より前方に突出しないものである。
【発明の効果】
【００１１】
本発明が第１の手段として構成したところによると、ハンガーフックは、デスク用パネルの前端部側の下方部に設けられるので、ハンガーフックを利用しても、ハンガーフックの掛けている物品が執務者の視界に入り難く仕事への集中力への妨げとなり難い。
また、ハンガーフック上方のデスクパネルが前端に突出しているため、ハンガーフック全体がテスク用パネルから突出することがないので、執務者が引っかかる危険性が軽減される。
そして、上部パネルと下部パネルの連結部を利用してデスク用パネルの上方部の前方への突出部を形成することができるので製作が容易である。
また、デスク天板上の空間をデスク用パネルで左右方向に仕切る場合には、デスク天板上方の空間を仕切る部分とデスク天板前方下部空間を仕切る部分でデスク用パネルを側面視上下逆Ｌ字状に形成することが多いが、このような場合でも上部パネルと下部パネルの連結部を利用してデスク用パネルの上方部の前方への突出部を形成することができるので製作が容易である。
さらに、上部パネルと下部パネルを連結する連結機能をハンガーフックに備えているため、部品点数が少なく組立ても容易でコストダウンが可能である。
【図面の簡単な説明】
【００１５】
【図１】本発明を取り付けたデスクの斜視図
【図２】デスク中間部用パネルの斜視図
【図３】デスクエンド用パネルの斜視図
【図４】デスク中間部用パネルの側面図
【図５】デスクエンド用パネルの側面図
【図６】図４のＥ部拡大図
【図７】デスク中間部用パネルの分解側面図
【図８】デスク中間部用パネルのデスク固定部の要部断面図
【図９】ハンガーフックの斜視図
【図１０】デスク用パネルの上下パネルの他の実施例の連結部を前面側から見た状態の要部拡大断面図
【図１１】他の実施例のデスク中間部用パネルの側面図
【図１２】他の実施例のデスクエンド用パネルの側面図
【発明を実施するための最良の形態】
【００１６】
ワークスペースを区画形成するデスク用パネルにおいて、デスク用パネルは、デスク天板より上方の空間を左右方向に仕切る上部パネルと、該上部パネル下面に連結されデスク天板より下方の空間を左右方向に仕切る下部パネルを備え、下部パネル前端を、上部パネル前端より後方に退避させることにより、上部パネルの前端が前方に突出する突出部を形成し、該突出部下方部にデスク用パネルの最前端部より前方に突出しないハンガーフックを設け、ハンガーフックに、上部パネルの突出部下面と連結される上部パネル連結部と、該突出部下面に近接する下部パネルの前端部と連結される下部パネル連結部を形成し、上部パネルと下部パネルの連結機能を持たせる。
【実施例】
【００１７】
以下、第１実施例を添付図面に基づいて詳述する。
図１、図２、図３において、符号２、３は、本発明のデスク用パネルを示している。
符号２は、デスク１の天板１００の左右方向で仕切り、区画を形成するデスク中間部用パネルであって、符号３は、デスク１のデスクサイド脚体１０１に連結されることによりデスク１のエンド部に立設し区画を形成するデスクエンド用パネルである。
【００１８】
デスク中間部用パネル２は、天板１００の上方と天板１００の上方の前方を左右方向に仕切る中間部用上部パネル２１と、天板１００の前方下方を左右方向に仕切る中間部用下部パネル２２の２体の単体パネルよりなっている。
【００１９】
中間部用上部パネル２１の高さ寸法は、天板１００の上面からデスク後端側に不動に立設するバックパネル１０２の上端までの高さと略同じに設定され、前後寸法は、天板の前後寸法に対して１．８倍程度に設定されているが、高さ寸法、前後寸法ともに区画の使い勝手に合わせて適宜設定されるものである。
【００２０】
中間部用下部パネル２２の高さ寸法は、床面から中間部用上部パネル２１の下端面２１２までの高さ寸法のうち、中間部用下部パネル２２の下面に取り付けられるアジャスター５００、５００の高さ相当分を省いた高さに設定される。
一方、前後寸法は、天板１００の前端から、中間部用上部パネル２１の前端２１１までの寸法より短く設定されており、中間部用上部パネル２１の前端２１１が中間部用下部パネル２２の前端より前方に突出する突出部２１３が形成される前後寸法とされている。
突出部２１３の突出寸法は、後述するハンガーフック４０が中間部用上部パネル２１の前端２１１より突出しないように設定するほうが、ハンガーフックへの引っ掛かりをより軽減できるので望ましい。
【００２１】
中間部用上部パネル２１、中間部用下部パネル２２の構造は、ともにアルミ合金製枠材を四方枠状に組み、四方枠部内側の空間部にペーパーコアなどの芯材が充填され、四方枠、芯材の前面と裏面に化粧板が接着されパネル体が形成される従来構造である。
そして、中間部用上部パネル２１と中間部用下部パネル２２の連結は次のように行われる。
【００２２】
中間部用下部パネル２２の上面に、上方に向かって突出するように固着された連結ピン２２１、２２１が設けられ、中間部用上部パネル２１の下面には、連結ピン２２１、２２１に対応する位置に差込孔２１３、２１３が設けられている。
連結ピン２２１は丸棒状の軸部から上部先端が先細りとされ、差込孔２１３は、連結ピン２２１の軸部が挿通できるように連結ピン２２１の軸部の直径よりわずかに大きい直径に設定される。
【００２３】
そして、中間部用下部パネル２２の連結ピン２２１、２２１の先端を中間部用上部パネル２１の差込孔２１３、２１３に差し込み、中間部用上部パネル２１の下面と中間部用下部パネル２２の上面が当接するまで中間部用下部パネル２２を押し込む。
この状態で、中間部用上部パネル２１と中間部用下部パネル２２が連結ピン２２１、２２１、差込孔２１３、２１３の作用によって前後左右方向不動に連結された状態となる。
【００２４】
次に、中間部用上部パネル２１の突出部２１３の下面２１４と、該下面２２４から垂下する面、すなわち中間部用下部パネル２２の前面２２２がハンガーフック４０によって連結され、中間部用上部パネル２１と中間部用下部パネル２２が別々に上下に方向に移動しないように中間部用上部パネル２１と中間部用下部パネル２２が固定される。
【００２５】
ハンガーフック４０は、中間部用上部パネル２１の下面２１４に当接する上部パネル連結部４０１と、上部パネル連結部４０１の端部から垂下し中間部用下部パネル２２の前面２２２に当接する下部パネル連結部４０２と、下部パネル連結部４０２下端から側面視Ｕ字状に延伸するフック部４０３よりなり金属製板材で一体的に形成される。
また、ハンガーフック４０は、上下各パネルの厚みより巾狭に設定され、ハンガーフック４０が、上下各パネルの表面から突出しないようされ、ハンガーフックへの無用な引っ掛かりを防止している。
【００２６】
上部パネル連結部４０１には、中間部用上部パネル２１の下面２１４に設けられた螺孔に対応する貫通孔４０１ａが設けられ、下部パネル連結部４０２には、中間部用下部パネル２２の前面２２２に設けられた螺孔に対応する貫通孔４０２ａが設けられ、前述のとおり中間部用上部パネル２１と中間部用下部パネル２２が前後左右方向不動に連結された後、ハンガーフック４０の上部パネル連結部４０１と下部パネル連結部４０２を、それぞれ下面２１４、前面２２２に当接させ、前記貫通孔４０１ａ、貫通孔４０２ａを使いボルト４０ａ、４０ａにて、中間部用上部パネル２１と中間部用下部パネル２２の螺孔を使用しそれぞれに螺合固定される。
このように固定されることにより、中間部用上部パネル２１と中間部用下部パネル２２の上下方向への移動がハンガーフックにより規制されるので、中間部用上部パネル２１と中間部用下部パネル２２は連結状態が維持される。
【００２７】
ハンガーフック４０は、一体に形成せずとも中間部用上部パネル２１と中間部用下部パネル２２からなる連結部と、フック部を別体で形成することもできるが、一体の方が部品点数を減らせるので、製作コスト面、組み立て工数面において有利である。
【００２８】
このように連結形成されたデスク中間部用パネル２を、下面のアジャスター５００、５００を使い床面に立設させ、図９に示されるように中間部用上部パネル２１の下面に設けられたコ字状に形成される固定部材５０が天板１００を上下から挟持するように天板１００の前方から差し込まれ、更に中間部用上部パネル２１の後端上部に設けられた係合片２１４をバックパネル１０２の係合溝に差し込み、そして、天板１００の下面にて固定部材５０と天板１００をネジ５０１にて固定してデスク１の左右中間部に配置する。
【００２９】
デスクエンド用パネル３は、天板１００のエンド部の天板１００の上方と天板１００の上方の前方を仕切るエンド用上部パネル３１と、天板１００のエンド部の天板１００の前方下方を仕切るエンド用下部パネル３２の２体の単体パネルよりなっている。
【００３０】
エンド用上部パネル３１の高さ寸法は、中間部用上部パネル２１と同様に天板１００の上面からデスク後端側に不動に立設するバックパネル１０２の上端までの高さと略同じに設定される。
一方、前後寸法も、中間部用上部パネル２１と同様に天板の前後寸法に対して１．８倍程度に設定されているが、高さ寸法、前後寸法ともに区画の使い勝手に合わせて適宜設定されるものである。
【００３１】
エンド用下部パネル３２の高さ寸法は、中間部用下部パネル２２同様に床面からエンド用上部パネル３１の下端面までの高さ寸法のうち、エンド用下部パネル３２の下面に取り付けられるアジャスター５００、５００の高さ相当分を省いた高さに設定される。
一方、前後寸法は、エンド用上部パネル３１と後端を揃えられ、該後端からエンド用上部パネル３１の前端２１１までの寸法より短くなる寸法に設定されており、エンド用上部パネル３１の前端３１１がエンド用下部パネル３２の前端より前方に突出する突出部３１３が形成される前後寸法とされている。
突出部３１３の突出寸法は、後述するハンガーフック４０がエンド用上部パネル３１の前端３１１より突出しないように設定するほうが、ハンガーフックへの引っ掛かりをより軽減できるので望ましいのはデスク中間部用パネル２と同様である。
【００３２】
そして、エンド用上部パネル３１、エンド用下部パネル３２の構造は、中間部用上部パネル２１と中間部用下部パネル２２と同様にアルミ合金製枠材の四方枠と芯材と化粧板にて形成される従来構造であって、エンド用上部パネル３１、エンド用下部パネル３２の連結方法もエンド用下部パネル３２に設けられた連結ピンとエンド用上部パネル３１に設けられた差込孔、そしてハンガーフック４０によって行われるデスク中間部用パネル２と同様の方法である。
【００３３】
そして、このように連結形成されたデスクエンド用パネル３は、下面のアジャスター５００、５００を使い床面に立設させ、エンド用上部パネル３１の後端上部に設けられた係合片３１４をバックパネル１０２の係合溝に差し込み、そして、デスク１の脚体１０１に設けられた金具（図示せず）を用いて脚体１０１に連結固定される。
【００３４】
このようにして、デスク１とバックパネル１０２、デスク中間部用パネル２、デスクエンド用パネル３によってワークスペースが区画形成される。
【００３５】
中間部用上部パネル２１と中間部用下部パネル２２の連結は、連結ピン２２１、２２１、差込孔２１３、２１３を用いずに、図１０に示されるように、中間部用上部パネル２１の下面と中間部用下部パネル２２の上面のそれぞれに設けられた掛溝部２１９、２２９に、鉤状連結部材２３を掛止させ中間部用上部パネル２１と中間部用下部パネル２２引き合わせることで、中間部用上部パネル２１と中間部用下部パネル２２を上下左右に不動に連結させてもよい。
【００３６】
そして、中間部用上部パネル２１の突出部２１３の下面２１４と、該下面２２４から垂下する面、すなわち中間部用下部パネル２２の前面２２２をハンガーフック４０によって連結し、中間部用上部パネル２１と中間部用下部パネル２２が別々に前後に方向に移動しないように固定する。
同様に、デスクエンド用パネルも掛溝部と鉤状連結部材とハンガーフックを用いる方法で連結してもよい。
【００３７】
図１１、図１２で示すように、デスク用パネルを上下に分割せずに一体的に製作してもよい。この場合、ハンガーフック４０に上下パネルの連結機能は付加されない。
しかしながら、パネルを一体的に製作すると、デスク中間部に使用するＬ字型のデスク用パネルの場合、パネル表面の化粧板の欠損部分が多くなるので材料効率が悪くなる。
【００３８】
デスク用パネルのパネル表面は化粧板でなくとも、従来のパネル同様にガラスやパンチグメタルなどの様々材料を使用することができる。
【符号の説明】
【００３９】
１            デスク
１００        デスク天板
２            デスク中間部用パネル
２１          デスク中間部用上部パネル
２２          デスク中間部用下部パネル
３            デスクエンド用パネル
３１          デスクエンド用上部パネル
３２          デスクエンド用下部パネル
４０          ハンガーフック
４０１        上部パネル連結部
４０２        下部パネル連結部
４０３        フック部
【図１】
0006411109.tif 000002
【図２】
0006411109.tif 000003
【図３】
0006411109.tif 000004
【図４】
0006411109.tif 000005
【図５】
0006411109.tif 000006
【図６】
0006411109.tif 000007
【図７】
0006411109.tif 000008
【図８】
0006411109.tif 000009
【図９】
0006411109.tif 000010
【図１０】
0006411109.tif 000011
【図１１】
0006411109.tif 000012
【図１２】
0006411109.tif 000013